(57)【要約】    【課題】陳列用突起に対する取り付けと、その取り外し作業が容易で、しかもこの陳列用突起からの脱落を可及的に防止するようにした物品収容装置を提供する。    【解決手段】この物品収容装置１０は、鍔部１１，１２の互いに対抗する位置にそれぞれ舌片２０ｂ，３０ｂからなる有端のガイド溝２０，３０があり、鍔部１１ａ，１２ａを密着させた際に、各舌片２０ｂ，３０ｂが対抗する他方のガイド溝２０，３０の開口部２０ａ，３０ａを閉塞させるようにしている。  【選択図】  図３
2005096801.tif 000002
【特許請求の範囲】
【請求項１】
少なくとも一方トレーに物品収容用の凹部が形成され、かつ周縁に鍔部が形成された互いに対向する一対のトレーを有する物品収容装置において、
前記鍔部の互いに対抗する位置に、舌片からなる有端のガイド溝を形成し、かつ前記鍔部を密着させた際に、前記ガイド溝を形成するそれぞれの舌片が対抗する他方のガイド溝の開口部を閉塞するようにしたことを特徴とする物品収容装置。
【請求項２】
前記トレーは合成樹脂により一体形成されていることを特徴とする請求項１に記載の物品収容装置。
【請求項３】
前記ガイド溝の終端は円弧形状に形成されていることを特徴とする請求項１に記載の物品収容装置。
【請求項４】
少なくとも一方トレーに物品収容用の凹部が形成され、かつ周縁に鍔部が形成された互いに対向する一対のトレーを有する物品収容装置において、
前記鍔部の互いに対抗する位置に、それぞれ舌片からなる有端のガイド溝を形成し、かつ前記鍔部を密着させた際に、前記各ガイド溝を形成する前記一対の舌片を互いに交差するように密着させ、対抗する他方のガイド溝の開口部を閉塞するようにしたことを特徴とする物品収容装置。
【請求項５】
前記トレーは合成樹脂により一体形成されていることを特徴とする請求項４に記載の物品収容装置。
【請求項６】
前記ガイド溝の終端は円弧形状に形成されていることを特徴とする請求項４に記載の物品収容装置。
【発明の詳細な説明】
【技術分野】
【０００１】
この発明は、化粧品、文房具、電子部品等の各種物品を保護収容する物品収容装置に関し、特に陳列棚に複数の物品を陳列させるようにした物品収容装置の改良に関する。
【背景技術】
【０００２】
従来から、デパート、スーパー等の小売店では、口紅等の比較的小さな化粧品を陳列しやすく、かつお客が自ら取り出しやすくするため、陳列棚から商品陳列用突起を突設し、この突起に物品収容装置に形成された孔を嵌挿させて物品を吊り下げ陳列するようにしていた。
【０００３】
図１３は従来の物品収容装置１を示す正面図である。
【０００４】
この物品収容装置１は、プラスチック等の合成樹脂により形成され、その内部に物品を収容する凹部２が形成されたトレー状の本体３と、この本体３の周縁に形成された鍔部４と、この鍔部４に貫設された孔５とから構成されている。
【０００５】
そして、凹部２内に図示せぬ物品を収容した物品収容装置１を、図示せぬ陳列棚に吊り下げて陳列する際は、図１４で示すように、図示せぬ陳列棚から突設された棒状の陳列用突起６の先端６ａに、矢印Ａのように物品収容装置１の孔５を嵌挿させ、これにより図１５で示すように物品を収容した物品収容装置１を複数個陳列用突起６に吊り下げて陳列するようにしていた。
【０００６】
ところで上述した、従来の物品収容装置１では、物品収容装置１の鍔部４に形成された孔５を陳列用突起６に嵌挿させる簡単な構造であるから、物品収容装置１を陳列用突起６に配設する際も、また客等が陳列用突起６から物品収容装置１を取り出す際も、常に陳列用突起６の先端６ａからその出し入れを行なわなければならず、その取付け取り外し作業が面倒である難点がある。
【０００７】
そこで、従来では、上述した欠点を阻止するため、図１３と同一部分を同一符号で示す図１６のように、孔５に隣接する鍔部４に当該孔５内に連通する開口を有するガイド溝７を形成するようにしている。
【０００８】
このような従来の物品収容装置１によると、図示せぬ陳列棚に陳列する際は、図示せぬ陳列棚から突設された棒状の陳列用突起６に、矢印Ｂのように、その先端ではなく、その中途位置の側方から物品収容装置１の孔５に開口を介してガイド溝７を嵌挿させ、図１８で示すように孔５内に陳列用突起６を嵌挿させるようにしていた。
【０００９】
このような構造の従来の物品収容装置１によると、ガイド溝７の開口を介して陳列用突起６の任意の位置から、物品収容装置１を着脱することが出来、このため物品の陳列作業、および物品の取り外し作業の自由度が向上し、その作業性が向上することとなる。
【発明の開示】
【発明が解決しようとする課題】
【００１０】
ところで、上述した従来の物品収容装置１では、鍔部４に単純な孔５のみを形成するものでは、陳列用突起６の先端６ａのみから物品収容装置１の取り付け取り外し作業を行なわなければならないため、物品収容装置１の取付け取り外し作業性が低下する難点があり、これを解消するため孔５に隣接する鍔部４に孔５内に連通するガイド溝７を形成するようにしたものでは、陳列用突起６の任意の位置から物品収容装置１を取り付け、あるいは取り外すことが出来るものの、孔５の側方に開口が形成されたガイド溝７を形成する構造であるため、このガイド溝７の開口を介して、物品収容装置１が陳列用突起６から脱落する虞があった。
【００１１】
この発明は、上述した事情に鑑み、陳列用突起に対する取付け取り外し作業が容易で、しかもこの陳列用突起からの脱落を可及的に防止するようにした物品収容装置を提供することを目的とする。
【課題を解決するための手段】
【００１２】
上述した課題を解決するため、この発明の物品収容装置では、少なくとも一方トレーに物品収容用の凹部が形成され、かつ周縁に鍔部が形成された互いに対向する一対のトレーを有する物品収容装置において、前記鍔部の互いに対抗する位置に、舌片からなる有端のガイド溝を形成し、かつ前記鍔部を密着させた際に、前記ガイド溝を形成するそれぞれの舌片が対抗する他方のガイド溝の開口部を閉塞するようにしている。
【００１３】
また、上述した課題を解決するため、この発明の物品収容装置では、少なくとも一方トレーに物品収容用の凹部が形成され、かつ周縁に鍔部が形成された互いに対向する一対のトレーを有する物品収容装置において、前記鍔部の互いに対抗する位置に、それぞれ舌片からなる有端のガイド溝を形成し、かつ前記鍔部を密着させた際に、前記各ガイド溝を形成する前記一対の舌片を互いに交差するように密着させ、対抗する他方のガイド溝の開口部を閉塞するようにしている。
【発明の効果】
【００１４】
上述した物品収容装置では、ガイド溝を形成するそれぞれの舌片が対抗する他方のガイド溝の開口部を閉塞するようにしているので、密着する一対のガイド溝の舌片間を陳列用突起により押し広げることにより、陳列用突起の任意の位置に物品収容装置を吊り下げ、またそこから取り外すことが出来るとともに、吊り下げた後は、舌片が対向する他方のガイド溝の開口部を閉塞するので陳列用突起から物品収容装置が落下することもなく、このため陳列用突起に対する取付け取り外し作業性が向上するとともに、陳列用突起への吊り下げ後に脱落することもない。
【発明を実施するための最良の形態】
【００１５】
以下、この発明に係る物品収容装置の一実施例を詳述する。
【００１６】
図１はこの発明に係る物品収容装置１０の上面図、図２は正面図である。
【００１７】
この物品収容装置１０はプラスチック等の合成樹脂により一体形成された左右一対のトレー１１、１２から構成され、その一方のトレー１１には、広い段部１３と、その中に収容する物品の外形形状に対応した凹部１４が形成されている。
【００１８】
また、他方のトレー１２には、その下面に一方の段部１３に嵌着する凸部１５が形成されている。
【００１９】
一方、上述した各トレー１１,１２の周縁に形成された各鍔部１１ａ，１２ａの互いに対抗する位置には、陳列用突起がガイドされ嵌挿する有端のガイド溝２０，３０が形成されている。
【００２０】
この各ガイド溝２０，３０は、その開口部２０ａ，３０ａが互いに反対方向、即ちオフセットした位置に形成され、さらにこの開口部２０ａ，３０ａを形成する各舌片２０ｂ，３０ｂは、各トレー１１，１２をその中間部４０から折り曲げて各鍔部１１ａ，１２ａを密着させた際に、図３で示すように、一方の舌片２０ｂが他方のガイド溝３０の開口部３０ａを閉塞させ、また他方の舌片３０ｂは一方のガイド溝２０の開口部２０ａを閉塞させる位置にそれぞれ形成されている。
【００２１】
なお、図１に示すように、実施例では各ガイド溝２０，３０の終端２０ｃ，３０ｃは図示せぬ陳列用突起の形状に合わせて円弧形状に形成されている。
【００２２】
なお、図４は図３の左側面図である。
【００２３】
次に上述した物品収容装置１０の作用を説明し、併せて構成をより詳細に説明する。
【００２４】
図３で示すように、凹部１４内に物品を収容した後、各トレー１１，１２をその中間部４０から折り曲げることにより各鍔部１１ａ，１２ａを密着させ、さらにこの各トレー１１，１２が互いに離間し、凹部１４内の物品が脱落しないよう、例えば図示せぬ接着剤、あるいはホチキス等の締結部材により一対のトレー１１，１２間を締着する。
【００２５】
この図３で示す状態では、一方の舌片２０ｂが他方のガイド溝３０の開口部３０ａを閉塞させ、また他方の舌片３０ｂは一方のガイド溝２０の開口部２０ａを閉塞させている。
【００２６】
この状態を図５の要部破断拡大斜視図で示す。
【００２７】
この図５で示す状態の物品収容装置１０を陳列用突起に取付けるには、図６で示すように、陳列用突起６の任意の位置に、各ガイド溝２０，３０を形成する各舌片２０ｂ，３０ｂの密着面６０に接近させ、さらにその密着面６０に陳列用突起６を押し込む。  すると、各舌片２０ｂ，３０ｂは、図７で示すように陳列用突起６の押圧力により湾曲して互いに離間し、その間に陳列用突起６を嵌挿させる。
【００２８】
その後、陳列用突起６を各ガイド溝２０，３０の各端部２０ｃ，３０ｃに到達させると、各舌片２０ｂ，３０ｂはその弾発力により初期位置に復帰し、これにより図８で示すように再び各舌片２０ｂ，３０ｂが互いに密着して、各ガイド溝２０，３０の開口部２０ａ，３０ａを閉塞する。
【００２９】
したがって、上述した物品収容装置１０によると、各ガイド溝２０，３０を構成する各舌片２０ｂ，３０ｂの密着面６０を陳列用突起６に押し付ける簡単な操作で、当該陳列用突起６の任意の位置に簡単に物品収容装置１０を吊り下げることが出来ることとなる。
【００３０】
なお、陳列用突起６の任意の位置から物品収容装置１０を取り外す場合は、前述した物品収容装置１０の取り付け態様とは逆に、陳列用突起６から物品収容装置１０を引っ張れば、図７で示すように陳列用突起６の押圧力により密着面６０を境に各舌片２０ｂ，３０ｂが湾曲して互いに離間し、その間から陳列用突起６を脱出させて、物品収容装置１０を当該陳列用突起６から容易に取り外せることが出来ることとなる。
【００３１】
なお、上記実施例では、図３に示すように、各トレー１１，１２をその中間部４０から折り曲げることにより互いに密着させ、さらにこの各トレー１１，１２が互いに離間しないよう、例えば図示せぬ接着剤、あるいはホチキス等の締結部材により締着するようにしたが、この発明では、図５と同一部分を同一符号で示す図９で示すように、各ガイド溝２０，３０を構成する各舌片２０ｂ，３０ｂを交差するように、互い違いに密着させ、これにより各舌片２０ｂ，３０ｂの弾性力を利用して各トレー１１，１２が互いに離間しないように密着させるようにしても良く、この場合は各トレー１１，１２の離間を防止するための接着剤、あるいはホチキス等の締結部材は不要となる。
【００３２】
なお、この実施例の場合でも、物品収容装置１０を陳列用突起６の任意の位置に取り付ける場合は、図１０で示すように、各ガイド溝２０，３０を形成する各舌片２０ｂ，３０ｂの密着面６０に陳列用突起６接近させ、さらにその密着面６０に陳列用突起６を押し込む。  すると、各舌片２０ｂ，３０ｂは、図１１で示すように陳列用突起６の押圧力により互いに離間し、その間に陳列用突起６を嵌挿させる。
【００３３】
その後、陳列用突起６を各ガイド溝２０，３０の各端部２０ｃ，３０ｃに到達させると、各舌片２０ｂ，３０ｂはその弾発力により初期位置に復帰し、これにより図１２で示すように再び各舌片２０ｂ，３０ｂが互いに密着して、各ガイド溝２０，３０の開口部２０ａ，３０ａを閉塞する。
【００３４】
したがって、上述した実施例の物品収容装置１０においても、各ガイド溝２０，３０を構成する各舌片２０ｂ，３０ｂの密着面６０を陳列用突起６に押し付ける簡単な操作で、当該陳列用突起６の任意の位置に簡単に物品収容装置１０を吊り下げ、また、陳列用突起６の任意の位置から物品収容装置１０を取り外すことが出来ることとなる。
【産業上の利用可能性】
【００３５】
以上説明したように、この発明の物品収容装置は、陳列用突起に対する取付け取り外し作業が容易で、しかもこの陳列用突起からの脱落を可及的に防止するようにした物品収容装置に適している。
【図面の簡単な説明】
【００３６】
【図１】図１は、この発明に係る物品収容装置の平面図。
【図２】図２は、この発明に係る物品収容装置の正面図。
【図３】図３は、一対のトレーを重ね合わせた状態を示す図。
【図４】図４は、図３の左側面図。
【図５】図５は、図３の要部拡大斜視図。
【図６】図６は、この発明に係る物品収容装置の作用を示す要部拡大斜視図。
【図７】図７は、この発明に係る物品収容装置の作用を示す要部拡大斜視図。
【図８】図８は、この発明に係る物品収容装置の作用を示す要部拡大斜視図。
【図９】図９は、この発明に係る物品収容装置の他の実施例を示す要部拡大斜視図。
【図１０】図１０は、他の実施例の作用を示す要部拡大斜視図。
【図１１】図１１は、他の実施例の作用を示す要部拡大斜視図。
【図１２】図１２は、他の実施例の作用を示す要部拡大斜視図。
【図１３】図１３は、従来の物品収容装置の正面図。
【図１４】図１４は、従来の物品収容装置の作用を示す図。
【図１５】図１５は、従来の物品収容装置の作用を示す図。
【図１６】図１６は、他の従来の物品収容装置の正面図。
【図１７】図１７は、他の従来の物品収容装置の作用を示す図。
【図１８】図１８は、他の従来の物品収容装置の作用を示す図。
【符号の説明】
【００３７】
１０…物品収容装置
１１，１２…トレー
１１ａ，１２ａ…鍔部
１４…凹部
２０，３０…ガイド溝
２０ｂ，３０ｂ…舌片
２０ａ，３０ａ…開口部
２０ｃ，３０ｃ…終端
【図１】
2005096801.tif 000003
【図２】
2005096801.tif 000004
【図３】
2005096801.tif 000005
【図４】
2005096801.tif 000006
【図５】
2005096801.tif 000007
【図６】
2005096801.tif 000008
【図７】
2005096801.tif 000009
【図８】
2005096801.tif 000010
【図９】
2005096801.tif 000011
【図１０】
2005096801.tif 000012
【図１１】
2005096801.tif 000013
【図１２】
2005096801.tif 000014
【図１３】
2005096801.tif 000015
【図１４】
2005096801.tif 000016
【図１５】
2005096801.tif 000017
【図１６】
2005096801.tif 000018
【図１７】
2005096801.tif 000019
【図１８】
2005096801.tif 000020